(57)【要約】【課題】広範囲な利用者からレシピ情報を登録させ、レシピ情報の登録数を増大させる。【解決手段】利用者端末１０−１〜１０−ｎから送信されてきたレシピ情報をレシピデータベース５２に登録しておき、その後、レシピ情報が指定されてそのレシピ情報による食材が販売された場合に、レシピ情報を登録した利用者にコミッションを支払う。【選択図】図１
2008310742.tif 000002
【特許請求の範囲】
【請求項１】
通信回線に接続可能な端末と、前記通信回線を介して前記端末にレシピ情報を提供するとともに前記レシピ情報を用いた食材の販売を前記端末から受け付けるサーバとを有してなるレシピ登録・食材販売システムであって、
前記レシピ情報が、該レシピ情報を提供した利用者を特定可能な利用者識別情報に対応づけて登録されたレシピデータベースと、
前記レシピ情報に含まれる食材の情報が登録された食材データベースとを有し、
前記サーバは、
前記端末からの要求に応じたレシピ情報を前記レシピデータベースから検索するレシピ管理手段と、
前記レシピ管理手段にて前記レシピデータベースから検索されたレシピ情報に含まれる食材の情報を前記食材データベースから検索する食材管理手段と、
前記レシピ管理手段にて前記レシピデータベースから検索されたレシピ情報と前記食材管理手段にて前記食材データベースから検索された食材の情報とを前記端末に提供するレシピ提供手段と、
前記食材管理手段にて前記食材データベースから検索された食材の販売を管理する販売管理手段と、
前記レシピ提供手段にて提供されたレシピ情報が前記端末にて指定された場合、前記レシピデータベースにて当該レシピ情報に対応づけられた利用者識別情報によって特定される利用者に特典を付与する特典付与手段とを有するレシピ登録・食材販売システム。
【請求項２】
請求項１に記載のレシピ登録・食材販売システムにおいて、
前記レシピ管理手段は、前記端末から送信されてきたレシピ情報を、該レシピ情報を送信してきた利用者を特定可能な利用者識別情報に対応づけて前記レシピデータベースに登録することを特徴とするレシピ登録・食材販売システム。
【請求項３】
請求項１または請求項２に記載のレシピ登録・食材販売システムにおいて、
前記レシピ管理手段は、前記端末にて食材が指定された場合、指定された食材を含むレシピ情報を前記レシピデータベースから検索することを特徴とするレシピ登録・食材販売システム。
【請求項４】
請求項１乃至３のいずれか１項に記載のレシピ登録・食材販売システムにおいて、
前記特典付与手段は、前記利用者毎に予め登録された特典の種類を前記端末からの指定に従って変更することを特徴とするレシピ登録・食材販売システム。
【請求項５】
請求項１乃至４のいずれか１項に記載のレシピ登録・食材販売システムにおいて、
前記レシピ管理手段は、前記レシピデータベースに登録されているレシピ情報を用いたアレンジレシピ情報が前記端末から送信されてきた場合、該アレンジレシピ情報を前記レシピ情報と対応づけて管理し、
前記特典付与手段は、前記アレンジレシピ情報が前記端末にて指定された場合、前記レシピデータベースにて当該アレンジレシピ情報に対応づけられた利用者識別情報によって特定される利用者と、当該アレンジレシピ情報に対応づけられたレシピ情報に対応づけられた利用者識別情報によって特定される利用者とに特典を付与することを特徴とするレシピ登録・食材販売システム。
【請求項６】
請求項５に記載のレシピ登録・食材販売システムにおいて、
前記特典付与手段から付与される特典は数値化されるものであって、
前記特典付与手段は、前記アレンジレシピ情報に対応づけられた利用者識別情報によって特定される利用者に対する特典を、当該アレンジレシピ情報に対応づけられたレシピ情報に対応づけられた利用者識別情報によって特定される利用者に対する特典よりも高いものとすることを特徴とするレシピ登録・食材販売システム。
【請求項７】
請求項１乃至６のいずれか１項に記載のレシピ登録・食材販売システムにおいて、
前記特典付与手段は、前記レシピ提供手段にて提供された食材の情報が変更された場合であっても、前記端末にて指定されたレシピ情報に対応づけられた利用者識別情報によって特定される利用者に特典を付与することを特徴とするレシピ登録・食材販売システム。
【請求項８】
通信回線に接続可能な端末に前記通信回線を介してレシピ情報を提供するとともに前記レシピ情報を用いた食材の販売を前記端末から受け付けるレシピ登録・食材販売サーバであって、
前記端末からの要求に応じたレシピ情報を、該レシピ情報が、提供した利用者を特定可能な利用者識別情報に対応づけて登録されたレシピデータベースから検索するレシピ管理手段と、
前記レシピ管理手段にて前記レシピデータベースから検索されたレシピ情報に含まれる食材の情報を前記食材データベースから検索する食材管理手段と、
前記レシピ管理手段にて前記レシピデータベースから検索されたレシピ情報と前記食材管理手段にて前記食材データベースから検索された食材の情報とを前記端末に提供するレシピ提供手段と、
前記食材管理手段にて前記食材データベースから検索された食材の販売を管理する販売管理手段と、
前記レシピ提供手段にて提供されたレシピ情報が前記端末にて指定された場合、前記レシピデータベースにて当該レシピ情報に対応づけられた利用者識別情報によって特定される利用者に特典を付与する特典付与手段とを有するレシピ登録・食材販売サーバ。
【請求項９】
請求項８に記載のレシピ登録・食材販売サーバにおいて、
前記レシピ管理手段は、前記端末から送信されてきたレシピ情報を、該レシピ情報を送信してきた利用者を特定可能な利用者識別情報に対応づけてレシピデータベースに登録することを特徴とするレシピ登録・食材販売サーバ。
【請求項１０】
請求項８または請求項９に記載のレシピ登録・食材販売サーバにおいて、
前記レシピ管理手段は、前記端末にて食材が指定された場合、指定された食材を含むレシピ情報を前記レシピデータベースから検索することを特徴とするレシピ登録・食材販売サーバ。
【請求項１１】
請求項８乃至１０のいずれか１項に記載のレシピ登録・食材販売サーバにおいて、
前記特典付与手段は、前記利用者毎に予め登録された特典の種類を前記端末からの指定に従って変更することを特徴とするレシピ登録・食材販売サーバ。
【請求項１２】
請求項８乃至１１のいずれか１項に記載のレシピ登録・食材販売サーバにおいて、
前記レシピ管理手段は、前記レシピデータベースに登録されているレシピ情報を用いたアレンジレシピ情報が前記端末から送信されてきた場合、該アレンジレシピ情報を前記レシピ情報と対応づけて管理し、
前記特典付与手段は、前記アレンジレシピ情報が前記端末にて指定された場合、前記レシピデータベースにて当該アレンジレシピ情報に対応づけられた利用者識別情報によって特定される利用者と、当該アレンジレシピ情報に対応づけられたレシピ情報に対応づけられた利用者識別情報によって特定される利用者とに特典を付与することを特徴とするレシピ登録・食材販売サーバ。
【請求項１３】
請求項１２に記載のレシピ登録・食材販売サーバにおいて、
前記特典付与手段から付与される特典は数値化されるものであって、
前記特典付与手段は、前記アレンジレシピ情報に対応づけられた利用者識別情報によって特定される利用者に対する特典を、当該アレンジレシピ情報に対応づけられたレシピ情報に対応づけられた利用者識別情報によって特定される利用者に対する特典よりも高いものとすることを特徴とするレシピ登録・食材販売サーバ。
【請求項１４】
請求項８乃至１３のいずれか１項に記載のレシピ登録・食材販売サーバにおいて、
前記特典付与手段は、前記レシピ提供手段にて提供された食材の情報が変更された場合であっても、前記端末にて指定されたレシピ情報に対応づけられた利用者識別情報によって特定される利用者に特典を付与することを特徴とするレシピ登録・食材販売サーバ。
【発明の詳細な説明】
【技術分野】
【０００１】
本発明は、インターネットを用いたレシピ登録・食材販売システム及びレシピ登録・食材販売サーバに関し、特に、レシピ登録数を増大させるための技術に関する。
【背景技術】
【０００２】
従来より、料理を作るための食材を宅配する食材宅配サービスが行われている。この食材宅配サービスは、会員登録した利用者にメニューが記載されたカタログを配布し、その中から利用者が指定したメニューに応じてその料理を作るための食材を毎日宅配するものである。そのため、利用者はスーパー等の店舗に出向くことなく食材を購入することができ、また、その食材が料理を作るために微量なものであっても購入可能であることから食材があまって廃棄するといった無駄を防ぐことができる。また、このような食材を宅配する業者においては、近年の健康ブームの高まりに応じて、有機野菜やこだわりの食材、あるいは健康食品を扱う業者も多くなってきており、今後、利用者数のさらなる増加が見込まれる。
【０００３】
近年では、インターネットの普及に伴い、料理を作るためのレシピをサーバに登録しておき、インターネット上にて公開する仕組みも考えられ、利用されている。このような仕組みとしては、利用者同士がレシピを登録、公開する仕組みもあり、利用者は、インターネット上でレシピを検索したり、登録、交換するコミュニティを形成すると共に、そこで得たレシピ情報を基に食材宅配で食材を注文したり、店舗等で入手したりしている。
【０００４】
また、上述したような食材の宅配注文を、カタログを用いるのではなくインターネットを介して行うサービスも考えられている（例えば、特許文献１参照。）。
【特許文献１】特開２００２−１５００５３号公報
【発明の開示】
【発明が解決しようとする課題】
【０００５】
しかしながら、上述したような食材販売サービスにおいては、料理を作るためのレシピが、業者が提供するものだけであるため、提供されるレシピの数が限定されてしまい、一般の人々が考えた膨大な数のレシピを利用することができていないという問題点がある。
【０００６】
また、利用者がレシピをインターネット上に登録する仕組みにおいては、登録したレシピが、その後どれだけ利用されたかを登録者が知ることができず、また、登録したことに対する報酬等の特典がないため、レシピの登録者にとっては魅力的なシステムとは言い難く、広範囲な利用者からレシピを登録してもらうことができないという問題点がある。
【０００７】
本発明は、上述したような従来の技術が有する問題点に鑑みてなされたものであって、広範囲な利用者からレシピ情報を登録させ、レシピ情報の登録数を増大させることができるレシピ登録・食材販売システム及びレシピ登録・食材販売サーバを提供することを目的とする。
【課題を解決するための手段】
【０００８】
上記目的を達成するために本発明は、
通信回線に接続可能な端末と、前記通信回線を介して前記端末にレシピ情報を提供するとともに前記レシピ情報を用いた食材の販売を前記端末から受け付けるサーバとを有してなるレシピ登録・食材販売システムであって、
前記レシピ情報が、該レシピ情報を提供した利用者を特定可能な利用者識別情報に対応づけて登録されたレシピデータベースと、
前記レシピ情報に含まれる食材の情報が登録された食材データベースとを有し、
前記サーバは、
前記端末からの要求に応じたレシピ情報を前記レシピデータベースから検索するレシピ管理手段と、
前記レシピ管理手段にて前記レシピデータベースから検索されたレシピ情報に含まれる食材の情報を前記食材データベースから検索する食材管理手段と、
前記レシピ管理手段にて前記レシピデータベースから検索されたレシピ情報と前記食材管理手段にて前記食材データベースから検索された食材の情報とを前記端末に提供するレシピ提供手段と、
前記食材管理手段にて前記食材データベースから検索された食材の販売を管理する販売管理手段と、
前記レシピ提供手段にて提供されたレシピ情報が前記端末にて指定された場合、前記レシピデータベースにて当該レシピ情報に対応づけられた利用者識別情報によって特定される利用者に特典を付与する特典付与手段とを有する。
【０００９】
上記のように構成された本発明においては、通信回線に接続可能な端末からレシピ情報がサーバに送信されてくると、レシピ管理手段において、端末から送信されてきたレシピ情報が、レシピ情報を送信してきた利用者を特定可能な利用者識別情報に対応づけてレシピデータベースに登録される。その後、端末からの要求に応じたレシピ情報がレシピデータベースから検索され、また、食材管理手段において、指定されたレシピ情報に含まれる食材の情報が食材データベースから検索され、レシピ提供手段によって端末に提供される。そして、端末にてレシピ情報が指定されると、販売管理手段にて食材の販売が管理され、また、特典付与手段において、レシピデータベースにて指定されたレシピ情報に対応づけられた利用者識別情報によって特定される利用者に特典が付与される。
【００１０】
このように、レシピデータベースに登録されたレシピ情報が指定され、そのレシピ情報に含まれる食材が販売された場合に、指定されたレシピ情報を送信してきた利用者に特典が付与されるので、広範囲な利用者がレシピ情報を登録するようになり、レシピ情報の登録数が増大する。
【発明の効果】
【００１１】
以上説明したように本発明においては、端末から送信され、レシピデータベースに登録されたレシピ情報が指定され、そのレシピ情報に含まれる食材が販売された場合に、指定されたレシピ情報を送信してきた利用者に特典が付与される構成としたため、広範囲な利用者からレシピ情報を登録させ、レシピ情報の登録数を増大させることができる。
【発明を実施するための最良の形態】
【００１２】
以下に、本発明の実施の形態について図面を参照して説明する。
【００１３】
図１は、本発明のレシピ登録・食材販売システムの実施の一形態を示す図である。
【００１４】
本形態は図１に示すように、通信回線であるインターネット３０に接続可能な利用者端末１０−１〜１０−ｎと、インターネット３０を介して利用者端末１０−１〜１０−ｎにレシピ情報を提供するとともにレシピ情報を用いた食材の販売を利用者端末１０−１〜１０−ｎから受け付けるレシピ登録・食材販売サーバ４０と、レシピ登録・食材販売サーバ４０からの指示により食材を配送する配送業者が所有する配送業者端末２０と、レシピ登録・食材販売サーバ４０が利用するデータベース群を構成する会員情報データベース５１、レシピデータベース５２、食材データベース５３、在庫データベース５４及びコミッション情報データベース５５と、ショッピングカート５６とから構成されている。
【００１５】
レシピ登録・食材販売サーバ４０は、レシピ提供手段となる情報画面管理部４１と、会員情報管理部４２と、レシピ管理部４３と、食材管理部４４と、特典付与手段であるコミッション管理部４５と、販売管理部４６とから構成されている。
【００１６】
会員情報管理部４２は、レシピ登録・食材販売システムを利用する利用者の会員登録及び認証を行う。新規に登録される利用者の情報を会員情報データベース５１に登録し、また、会員情報データベース５１に登録された会員情報を利用者端末１０−１〜１０−ｎからの指定により変更あるいは削除する。また、会員情報データベース５１には、会員登録された利用者毎に、利用者を特定可能な利用者識別情報である利用者ＩＤ及びパスワードが設定されており、この利用者ＩＤ及びパスワードを用いて利用者の認証を行う。
【００１７】
レシピ管理部４３は、利用者端末１０−１〜１０−ｎから送信されてきたレシピ情報を、そのレシピ情報を送信してきた利用者の利用者ＩＤに対応づけてレシピデータベース５２に登録し、また、利用者端末１０−１〜１０−ｎからの要求に応じたレシピ情報をレシピデータベース５２から検索する。
【００１８】
情報画面管理部４１は、レシピデータベース５２にレシピ情報を登録したり、レシピデータベース５２から検索されたレシピ情報を提供したり、レシピ情報に含まれる食材の販売を行ったり、会員登録したりするための情報画面を利用者端末１０−１〜１０−ｎに送信する。
【００１９】
食材管理部４４は、情報画面管理部４１から送信された情報画面を用いてレシピ情報が利用者端末１０−１〜１０−ｎにて指定された場合、指定されたレシピ情報に含まれる食材の情報を食材データベース５３から検索し、また、在庫データベース５４を参照してその食材の在庫を確認する。
【００２０】
販売管理部４６は、食材管理部４４にて食材データベース５３から検索された食材をショッピングカート５６に入れ、その配送情報を配送業者端末２０に送信し、食材の販売を管理する。
【００２１】
コミッション管理部４５は、情報画面管理部４１から送信された情報画面を用いてレシピ情報が利用者端末１０−１〜１０−ｎにて指定された場合、レシピデータベース５３にてそのレシピ情報に対応づけられた利用者ＩＤによって特定される利用者に特典となるコミッションを支払うための管理を行う。
【００２２】
以下に、上記のように構成されたレシピ登録・食材販売システムにおけるレシピ登録・食材販売方法について説明する。
【００２３】
まず、会員登録及びログイン処理について、利用者端末１０−１を用いた処理を例に挙げて説明する。
【００２４】
図２は、図１に示したレシピ登録・食材販売システムにおける会員登録及びログイン処理を説明するためのフローチャートである。
【００２５】
図１に示したレシピ登録・食材販売システムを利用者端末１０−１にて利用する場合は、まず、利用者端末１０−１を用いてレシピ登録・食材販売システムにて提供されるサイトにアクセスする（ステップＳ１）。
【００２６】
すると、レシピ登録・食材販売サーバ４０の情報画面管理部４１からログイン画面が送信され（ステップＳ２）、利用者端末１０−１にて受信、表示される（ステップＳ３）。
【００２７】
利用者端末１０−１の利用者がまだ会員登録していない場合は（ステップＳ４）、利用者端末１０−１に表示されたログイン画面を用いて会員登録を行う旨を指定すると（ステップＳ５）、情報画面管理部４１から会員登録を行うための会員登録画面が送信され（ステップＳ６）、利用者端末１０−１にて受信、表示される（ステップＳ７）。
【００２８】
情報画面管理部４１から送信され、利用者端末１０−１にて受信、表示される会員登録画面には、利用者端末１０−１の利用者の氏名や住所、連絡先電話番号等の属性情報や、後述するレシピ情報を登録する場合は、利用者のニックネーム（ハンドル名）、コミッションの受け取り方法（ポイント追加、キャッシュバック、またはコミッションなし）を指定するための領域が設けられており、これらの領域に該当する情報を入力し、送信すると（ステップＳ８）、送信された会員情報がレシピ登録・食材販売サーバ４０の会員情報管理部４２にて受信され（ステップＳ９）、利用者に対して利用者ＩＤ及びパスワードが発行され、情報画面管理部４１にて利用者ＩＤ及びパスワードが掲載された情報画面が送信される（ステップＳ１０）。
【００２９】
情報画面管理部４１から送信された情報画面は利用者端末１０−１にて受信され（ステップＳ１１）、利用者端末１０−１の利用者は、その後、レシピ登録・食材販売システムを利用する場合、この情報画面に掲載された利用者ＩＤ及びパスワードを用いてログインすることになる。
【００３０】
また、会員情報管理部４２の制御によって、利用者端末１０−１から送信されてきた会員情報が、発行された利用者ＩＤ及びパスワードと対応づけて会員情報データベース５１に登録される（ステップＳ１２）。
【００３１】
一方、利用者端末１０−１の利用者が既に会員登録している場合は、利用者端末１０−１に表示されたログイン画面に掲載された利用者ＩＤ及びパスワードを入力するための領域に、利用者端末１０−１の利用者ＩＤ及びパスワードを入力して送信すると（ステップＳ１３）、会員情報管理部４２において、利用者端末１０−１から送信されてきた利用者ＩＤ及びパスワードが受信され（ステップＳ１４）、会員情報データベース５１が参照されて利用者認証が行われる（ステップＳ１５）。この利用者認証は、利用者端末１０−１から送信されてきた利用者ＩＤ及びパスワードが会員情報データベース５１に登録されているかどうかによって行われる。
【００３２】
利用者端末１０−１から送信されてきた利用者ＩＤ及びパスワードが会員情報データベース５１に登録されている場合は（ステップＳ１６）、ログイン処理が行われ、利用者端末１０−１において、その後の利用が可能となる（ステップＳ１７）。
【００３３】
また、利用者端末１０−１から送信されてきた利用者ＩＤ及びパスワードが会員情報データベース５１に登録されていない場合は、認証エラーである旨が利用者端末１０−１に通知される（ステップＳ１８，Ｓ１９）。
【００３４】
このようにして、図１に示したレシピ登録・食材販売システムに対する会員登録及びログイン処理が行われる。
【００３５】
次に、レシピ情報を登録する際の処理について、利用者端末１０−１を用いてレシピ情報を登録する場合を例に挙げて説明する。
【００３６】
図３は、図１に示したレシピ登録・食材販売システムにおいてレシピ情報を登録する際の処理を説明するためのフローチャートである。
【００３７】
上述したようにしてログイン処理が行われた後、利用者端末１０−１において、レシピ登録・食材販売サーバ４０の情報画面管理部４１から送信されてくる情報画面を用いてレシピ登録画面の送信を要求すると（ステップＳ２１）、情報画面管理部４１からレシピ情報を登録するためのレシピ登録画面が送信され（ステップＳ２２）、利用者端末１０−１にて受信、表示される（ステップＳ２３）。
【００３８】
図４は、図１に示したレシピ登録・食材販売サーバ４０から送信され、利用者端末１０−１にて受信、表示されるレシピ登録画面の一例を示す図である。
【００３９】
図４に示すように、図１に示したレシピ登録・食材販売サーバ４０から送信され、利用者端末１０−１にて受信、表示されるレシピ登録画面には、レシピ情報を登録する料理のイメージを指定するためのイメージ指定領域１０１と、料理の食材を指定するための食材指定領域１０２と、料理の手順を入力するための手順入力領域１０３と、料理のカテゴリーを指定するためのカテゴリー指定領域１０４と、コミッション形態を指定するためのコミッション形態指定領域１０５とが設けられており、これらの領域にレシピ情報となる情報がそれぞれ入力あるいは指定されることになる。
【００４０】
イメージ指定領域１０１においては、その料理の画像のｊｐｅｇやｇｉｆ等からなるイメージファイルが指定されることになる。
【００４１】
食材指定領域１０２においては、その料理を作るにあたって必要となる食材を指定する。食材を追加する場合は、食材追加ボタン１０２ａを押下すると、食材データベース５３に登録された食材が表示され、その中から追加する食材を指定してその数量を入力する。また、既にレシピデータベース５２にレシピ情報が登録された料理を元として食材を追加することもできる。その場合、食材追加ボタン１０２ｂを押下すると、レシピデータベース５２にレシピが登録された料理が表示され、その中から元とする料理を指定すると、その料理を作るための食材が食材指定領域１０２に表示され、それを元として食材を追加、変更していくこととなる。
【００４２】
手順入力領域１０３においては料理の手順を入力する。この手順入力領域１０３においても、既にレシピデータベース５２にレシピが登録された料理を元として手順を追加することもできる。その場合、手順追加ボタン１０３ａを押下すると、レシピデータベース５２にレシピ情報が登録された料理が表示され、その中から元とする料理を指定すると、その料理を作るための手順が手順入力領域１０３に表示され、それを元として手順を追加、変更していくこととなる。
【００４３】
カテゴリー指定領域１０４においては、料理のカテゴリーを決められたカテゴリーの中から指定し、その後、レシピ情報を検索する際にこのカテゴリーで検索されるようにする。
【００４４】
コミッション形態指定領域１０５は、レシピ情報が指定された場合にそのレシピ情報を登録した利用者に付与されるコミッションの形態を指定する。このコミッション形態指定領域１０５には、利用者が会員登録した際に指定したコミッション形態がデフォルトとして掲載されており、このタイミングでレシピ毎のコミッション形態を指定することができる。なお、コミッション形態の指定による変更は、コミッション管理部４５にて行われる。
【００４５】
このようにして、レシピ情報がそれぞれ入力あるいは指定され、送信されると（ステップＳ２４）、レシピ登録・食材販売サーバ４０の情報画面管理部４１から、利用者端末１０−１にて入力あるいは指定されたレシピ情報が掲載された確認画面が送信され（ステップＳ２５）、利用者端末１０−１にて受信、表示される（ステップＳ２６）。
【００４６】
利用者端末１０−１に表示された確認画面の内容が確認され、その旨が指定されると（ステップＳ２７）、レシピ登録・食材販売サーバ４０のレシピ管理部４３において、そのレシピ情報が利用者ＩＤと対応づけてレシピデータベース５２に登録されるとともに、コミッションの形態もレシピデータベース５２に登録される（ステップＳ２８）。この際、登録されるレシピ情報には料理ＩＤが付与され、コミッションの形態はこの料理ＩＤに対応づけて登録されることになる。
【００４７】
このようにしてレシピ情報がレシピデータベース５２に登録される。
【００４８】
次に、レシピ情報を閲覧して食材を購入する際の処理について、利用者端末１０−２を用いて食材を購入する場合を例に挙げて説明する。
【００４９】
図５は、図１に示したレシピ登録・食材販売システムにおいて食材を購入する際の処理を説明するためのフローチャートである。
【００５０】
上述したようにしてログイン処理が行われた後、利用者端末１０−２において、レシピ登録・食材販売サーバ４０の情報画面管理部４１から送信されてくる情報画面を用いてレシピ検索画面の送信を要求すると（ステップＳ３１）、情報画面管理部４１からレシピ情報を検索するためのレシピ検索画面が送信され（ステップＳ３２）、利用者端末１０−２にて受信、表示される（ステップＳ３３）。
【００５１】
図６は、図１に示したレシピ登録・食材販売サーバ４０から送信され、利用者端末１０−２にて受信、表示されるレシピ検索画面の一例を示す図である。
【００５２】
図６に示すように、図１に示したレシピ登録・食材販売サーバ４０から送信され、利用者端末１０−２にて受信、表示されるレシピ検索画面においては、レシピ情報を検索するための料理名等のキーワードを入力するためのキーワード入力領域１０６と、料理のカテゴリーを選択するためのカテゴリー選択領域１０７とが設けられている。
【００５３】
キーワード入力領域１０６にキーワードを入力したり、カテゴリー選択領域１０７にてカテゴリーを選択したりすることによって検索条件を指定すると（ステップＳ３４）、レシピ管理部４３において、指定された検索条件に従ってレシピデータベース５２の中からレシピ情報が検索され（ステップＳ３５）、検索されたレシピ情報を示す料理名等の一覧が掲載された情報画面が情報画面管理部４１から送信され（ステップＳ３６）、利用者端末１０−２にて受信、表示される（ステップＳ３７）。
【００５４】
また、利用者が手持ちの食材を活用するために、食材をキーワードとして入力することもできる。その場合、レシピ管理部４３においては、指定された食材を含むレシピ情報をレシピデータベース５２から検索することになる。
【００５５】
利用者端末１０−２に表示された料理名の一覧から所望の料理が選択されると（ステップＳ３８）、レシピ管理部４３において、選択された料理のレシピ情報がレシピデータベース５２から検索され、また、食材管理部４４において、食材データベース５３が参照され、レシピ掲載領域１０８にレシピ情報が掲載された料理を作るための食材それぞれの値段が検索されるとともに、在庫データベース５４が参照され、その食材の在庫があるかどうかが確認される。そして、情報画面管理部４１において、レシピデータベース５２から検索されたレシピ情報、並びに食材の値段及び在庫状況が掲載されたレシピ掲載画面が送信され（ステップＳ３９）、利用者端末１０−２にて受信、表示される（ステップＳ４０）。
【００５６】
図７は、図１に示したレシピ登録・食材販売サーバ４０から送信され、利用者端末１０−２にて受信、表示されるレシピ掲載画面の一例を示す図である。
【００５７】
図７に示すように、図１に示したレシピ登録・食材販売サーバ４０から送信され、利用者端末１０−２にて受信、表示されるレシピ掲載画面には、利用者端末１０−２にて選択された料理のレシピ情報が掲載されたレシピ掲載領域１０８が設けられているとともに、この料理を作るために食材を購入する際に押下する購入ボタン１１１と、この料理をアレンジしたレシピを登録する際に押下するアレンジレシピ登録ボタン１１２とが表示されている。また、レシピ掲載領域１０８に掲載されたレシピ情報に対するコメントを入力するための領域が設けられていることも考えられる。さらに、図示していないが、そのレシピ情報による料理を作るための食材の値段と在庫状況が掲載されている。
【００５８】
レシピ掲載領域１０８にレシピ情報が掲載された料理を作るための食材を購入するために購入ボタン１１１が押下されると（ステップＳ４１）、情報画面管理部４１において、食材それぞれの値段及び合計の値段、並びに配送先や決済方法を指定するための領域が設けられた食材販売画面が送信され（ステップＳ４２）。利用者端末１０−２にて受信、表示される（ステップＳ４３）。
【００５９】
なお、ステップＳ３９における処理の一部をステップＳ３５やステップＳ４２にて行うことも考えられる。その場合、食材管理部４４においては、利用者端末１０−２にて検索条件が指定され、レシピ管理部４３においてレシピデータベース５２の中からレシピ情報が検索された際に、食材データベース５３が参照され、レシピデータベース５２の中から検索されたレシピ情報による料理を作るための食材それぞれの値段が検索されるとともに、在庫データベース５４が参照され、その食材の在庫があるかどうかが確認されたり、レシピ掲載領域１０８にレシピ情報が掲載された料理を作るための食材を購入するために購入ボタン１１１が押下されると、食材データベース５３が参照され、レシピ掲載領域１０８にレシピ情報が掲載された料理を作るための食材それぞれの値段が検索されるとともに、在庫データベース５４が参照され、その食材の在庫があるかどうかが確認されたりすることになる。
【００６０】
また、レシピ掲載画面に表示されたレシピ情報や食材の値段や在庫状況を参照して、類似の食材へ変更することもできる。その場合、利用者端末１０−２にて類似の食材への変更が指定されると、食材管理部４４において、食材データベース５３と在庫データベース５４とが参照され、変更が指定された食材の値段と在庫が確認され、利用者端末１０−２に送信されることになる。
【００６１】
利用者端末１０−２に表示された食材販売画面を用いて、配送先や決済方法を指定すると（ステップＳ４４）、レシピ登録・食材販売サーバ４０の販売管理部４６において、食材販売画面に掲載された食材の値段と指定された決済方法に従って食材の販売情報がショッピングカート５６に登録され、その後、決済が行われる（ステップＳ４５）。なお、食材販売画面に掲載された食材のうち、利用者端末１０−２にて必要な食材のみ、あるいは数量のみを指定することも可能であり、その場合、食材管理部４４において、指定された量に基づいて合計の値段が再度計算されることになる。
【００６２】
また、販売管理部４６においては、食材販売画面を用いて指定された配送先に対する食材の配送情報が配送業者端末２０に送信され、配送業者から食材の配送が行われることになる（ステップＳ４６）。
【００６３】
また、レシピ登録・食材販売サーバ４０のコミッション管理部４５において、レシピデータベース５２が参照され、ステップＳ３８にて指定された料理のレシピ情報に対応づけられた利用者ＩＤ及びコミッション形態が認識され、その利用者ＩＤによって特定される利用者に対してそのコミッション形態によってコミッションを支払う旨がコミッション情報データベース５５に登録され、その後、コミッションが支払われることとなる（ステップＳ４７）。なお、利用者に支払われるコミッションは、食材の販売額に対してその割合が予め決められており、ポイントや金銭という形態はレシピ登録時に指定されたものとなる。また、上述したようにレシピ情報による料理を作るための食材が変更された場合においても、コミッション管理部４５においては、そのレシピ情報を登録した利用者、すなわち、レシピデータベース５２にてそのレシピ情報に対応づけられた利用者ＩＤによって特定される利用者にコミッションを支払う旨がコミッション情報データベース５５に登録されることになる。
【００６４】
このようにして、レシピ情報を登録した利用者に対して、そのレシピ情報が指定されて食材が販売された場合に、販売額に応じたコミッションが支払われるため、広範囲の利用者からレシピ情報を収集することができるようになる。
【００６５】
また、ある特産品をもっと売りたい場合、その特産品とおすすめレシピを登録することで、食べ方が分からずその特産品を購入しなかった顧客にも販売する機会が広がる。さらに、自分の作る料理のレシピを登録して自分で購入することで、食材を入手することが難しい状況でも自分の好きな料理を作ることができる。
【００６６】
次に、登録されたレシピ情報をアレンジする場合の処理について、利用者端末１０−３を用いてレシピ情報をアレンジする場合を例に挙げて説明する。
【００６７】
図８は、図１に示したレシピ登録・食材販売システムにおいて登録されたレシピ情報をアレンジする際の処理を説明するためのフローチャートである。
【００６８】
図７に示したレシピ掲載画面が利用者端末１０−３に表示された状態において（ステップＳ５１）、レシピデータベース５２に登録されたレシピ情報をアレンジするためにアレンジレシピ登録ボタン１１２が押下されると（ステップＳ５２）、情報画面管理部４１からレシピ情報をアレンジするためのアレンジレシピ登録画面が送信され（ステップＳ５３）、利用者端末１０−３にて受信、表示される（ステップＳ５４）。
【００６９】
情報画面管理部４１から送信され、利用者端末１０−３にて受信、表示されるアレンジレシピ登録画面には、図４に示したレシピ登録画面のように、食材を追加あるいは変更したり、手順を追加あるいは変更したりするための領域が設けられており、このアレンジレシピ登録画面を用いてアレンジレシピ情報を登録することになる。
【００７０】
利用者端末１０−３に表示されたアレンジレシピ登録画面に対して、食材を異なる食材に替えたり、食材の数量を変えたり、料理手順を変えたりする等アレンジを加えたアレンジレシピ情報が指定され、送信されると（ステップＳ５５）、レシピ登録・食材販売サーバ４０の情報画面管理部４１から、利用者端末１０−３にて指定されたアレンジレシピ情報が掲載された確認画面が送信され（ステップＳ５６）、利用者端末１０−３にて受信、表示される（ステップＳ５７）。
【００７１】
利用者端末１０−３に表示された確認画面の内容が確認され、その旨が指定されると（ステップＳ５８）、レシピ登録・食材販売サーバ４０のレシピ管理部４３において、そのアレンジレシピ情報が利用者ＩＤ及びアレンジ元となるレシピ情報と対応づけてレシピデータベース５２に登録されるとともに、コミッションの形態もレシピデータベース５２に登録される（ステップＳ５９）。この際、登録されるアレンジレシピ情報には料理ＩＤが付与され、コミッションの形態はこの料理ＩＤに対応づけて登録されることになる。
【００７２】
このようにしてアレンジレシピ情報がその元となるレシピ情報と対応づけてレシピデータベース５２に登録される。
【００７３】
ここで、上記のように登録されたアレンジレシピ情報が指定されてその食材が販売された場合に利用者に支払われるコミッションについて説明する。
【００７４】
上述したように、アレンジレシピ情報は、レシピデータベース５２にアレンジ元となるレシピ情報と対応づけて登録される。そのため、アレンジレシピ情報が指定された場合、そのアレンジレシピ情報のアレンジ元となるレシピ情報も認識可能となっている。
【００７５】
そこで、コミッション管理部４５において、食材を購入するレシピ情報としてアレンジレシピ情報が指定された場合、レシピデータベース５２が参照され、アレンジレシピ情報を登録した利用者の利用者ＩＤと、そのアレンジレシピ情報のアレンジ元となるレシピ情報を登録した利用者の利用者ＩＤとが認識され、これら利用者ＩＤによって特定される利用者にそれぞれコミッションを支払うことができる。その場合、アレンジレシピ情報を登録した利用者に対するコミッションが、アレンジレシピ情報のアレンジ元となるレシピ情報を登録した利用者に対するコミッションよりも高くなるように設定することが考えられる。
【００７６】
このような構成とすることにより、１つのレシピ情報を元として複数のアレンジレシピ情報が登録された場合、元となるレシピ情報を登録した利用者は、自分が登録したレシピ情報が食材購入のために指定されなくても、そのレシピ情報をアレンジしたアレンジレシピ情報が食材購入のために指定される度にコミッションを受け取ることができるようになる。すなわち、自分が登録したレシピ情報を元とするアレンジレシピ情報が増えるほど、受け取ることができるコミッションが増えることになる。
【００７７】
また、上述したアレンジレシピ情報と、このアレンジレシピ情報のアレンジ元となるレシピ情報とを同一画面に表示し、いずれかを選択可能とすることも考えられる。
【００７８】
なお、本形態においては、レシピ情報が指定された場合、そのレシピ情報を登録した利用者にコミッションが支払われるものを例に挙げて説明したが、利用者に付与される特典としては、金銭的なものやポイント的なものといった数値化されるものに限らない。
【００７９】
また、レシピ情報管理部４３は、インターネット３０を介して利用者端末１０−１〜１０−ｎから送信されてきたレシピ情報に限らず、他の手段にて提供されたレシピ情報についても、そのレシピ情報を提供した利用者を特定可能な利用者ＩＤと対応づけてレシピデータベース５２に登録する。
【図面の簡単な説明】
【００８０】
【図１】本発明のレシピ登録・食材販売システムの実施の一形態を示す図である。
【図２】図１に示したレシピ登録・食材販売システムにおける会員登録及びログイン処理を説明するためのフローチャートである。
【図３】図１に示したレシピ登録・食材販売システムにおいてレシピ情報を登録する際の処理を説明するためのフローチャートである。
【図４】図１に示したレシピ登録・食材販売サーバから送信され、利用者端末にて受信、表示されるレシピ登録画面の一例を示す図である。
【図５】図１に示したレシピ登録・食材販売システムにおいて食材を購入する際の処理を説明するためのフローチャートである。
【図６】図１に示したレシピ登録・食材販売サーバから送信され、利用者端末にて受信、表示されるレシピ検索画面の一例を示す図である。
【図７】図１に示したレシピ登録・食材販売サーバから送信され、利用者端末にて受信、表示されるレシピ掲載画面の一例を示す図である。
【図８】図１に示したレシピ登録・食材販売システムにおいて登録されたレシピ情報をアレンジする際の処理を説明するためのフローチャートである。
【符号の説明】
【００８１】
１０−１〜１０−ｎ    利用者端末
２０    配送業者端末
３０    インターネット
４０    レシピ登録・食材販売サーバ
４１    情報画面管理部
４２    会員情報管理部
４３    レシピ管理部
４４    食材管理部
４５    コミッション管理部
４６    販売管理部
５１    会員情報データベース
５２    レシピデータベース
５３    食材データベース
５４    在庫データベース
５５    コミッション情報データベース
５６    ショッピングカート
１０１    イメージ指定領域
１０２    食材指定領域
１０２ａ，１０２ｂ    食材追加ボタン
１０３    手順入力領域
１０３ａ    手順追加ボタン
１０４    カテゴリー指定領域
１０５    コミッション形態指定領域
１０６    キーワード入力領域
１０７    カテゴリー選択領域
１０８    レシピ掲載領域
１１１    購入ボタン
１１２    アレンジレシピ登録ボタン
【図１】
2008310742.tif 000003
【図２】
2008310742.tif 000004
【図３】
2008310742.tif 000005
【図４】
2008310742.tif 000006
【図５】
2008310742.tif 000007
【図６】
2008310742.tif 000008
【図７】
2008310742.tif 000009
【図８】
2008310742.tif 000010